(57)【要約】【課題】人の手の乾燥に用いるハンドドライヤーは、空気の吸込みから噴射までの機能を機枠に一体に組込みユニット化して壁掛け式となっているので設置性、移動性、操作性、メンテナンス性が悪く、空気中の塵、埃、細菌及びウィルス等の微生物や湿気を処理しないで噴射しているので不衛生で感染を拡大する恐れがあり、指先、指間、皮膚の凸凹等に付着した水滴の除去に時間が掛り効率が悪く速乾性に劣り、手洗い後、濡れた手をユニットまで移動しているので衣服や床を雫で濡らし転倒する危険もあり、使用時はターボファンを常時可動させる必要から騒音が煩かった。【解決手段】そこで、ハンドドライヤーを空気清浄手段、空気圧縮手段、噴射手段に着脱可能に独立して設けて設置性、移動性、操作性、メンテナンス性を向上させ、各手段の働きで空気中の粗ゴミを除去し、防塵、防挨、消臭、除菌、殺菌処理をし、圧縮乾燥し、二つの異なる竜巻渦流の相乗効果によりあらゆる角度から隈なく噴き付けることで達成される。【選択図】図３
2005177409.tif 000002
【特許請求の範囲】
【請求項１】
人の手を乾燥するのに、空気中の粗ゴミ、塵、埃、細菌及びウィルス等の微生物を除去、殺菌し、消臭する空気清浄手段と、
上記清浄空気を圧縮、乾燥、温度調節、消臭し、連続して供給する空気圧縮手段と、
上記圧縮空気を竜巻状にして噴き付ける噴射手段とを着脱可能に独立して設けていることを特徴とするハンドドライヤー。
【請求項２】
前記空気清浄手段は、中空筒状容器の両端に保護蓋と粗ゴミ除去フィルターを備えた吸込口、中央に殺菌管と噴出口を設け、防塵フィルター、防埃フィルター、除菌フィルター、消臭フィルターを一体に積層して殺菌管の両端から挟み込んで設けたことを特徴とする請求項１記載のハンドドライヤー。
【請求項３】
前記空気圧縮手段は、清浄空気を圧縮乾燥し、噴射手段に連続供給するために複数の空気ダメを空気圧縮機の噴出側に直列して連結し、調圧器で空気ダメの減圧を検知して自動加圧する機能を備えたことを特徴とする請求項１記載のハンドドライヤー。
【請求項４】
前記噴射手段は、逆さ中空三角錐の先端を一部切除した漏斗状の容器に圧縮空気を均一に拡散する突起と、圧縮空気を噴射して回転させる複数の噴射孔を設けた回転空気噴射基板と、回転した圧縮空気を竜巻状にして大気中に噴射する竜巻渦流発生筒を備えたことを特徴とする請求項１記載のハンドドライヤー。
【発明の詳細な説明】
【技術分野】
【０００１】  この発明は、人の手を乾燥するのに用いるハンドドライヤーの機能に関する。
【背景技術】
【０００２】  従来、人の手を乾燥するのに用いるハンドドライヤーは、図５に示すように、空気Ａの吸込みから噴射までの機能を機枠１０ｈに一体に組込んだ壁掛式ユニットが主流になっている。壁掛式ユニット１０ｈは、大気中の塵、埃、細菌及びウィルス等の微生物や湿気を含んだまま空気Ａをユニット下部の吸込口１０ａから粗ゴミフィルター１０ｂで粗ゴミ及び塵を除去し、空気Ｌを吸込ダクト１０ｃからターボファン１０ｄに吸込み超高速に加速した空気Ｍを噴出口１０ｆに設けたスリットから大気中に空気Ｍを噴射し、使用者は、この空気Ｍの中に手を挿入して上下左右に動かし揉み手等をして手に付着した水滴を噴き飛ばし除去している。これらは、環境、省資源対策等によるコスト削減、病原性大腸菌Ｏ−１５７等の影響による衛生管理の見直し、ゴミ問題やＩＳＯ−１４００１（国際標準規格）取得企業の増加等、環境衛生に対する高い評価を得てより広く社会に普及している。
【発明の開示】
【発明が解決しようとする課題】
【０００３】  しかしながら、以上の技術によれば、空気中の湿気、塵、埃、臭気、細菌及びウィルス等の微生物を含んだまま吸込みそのまま噴射するので、細菌及びウィルス等の微生物に対して何の抗力もなく感染を拡大する恐れがあった。【０００４】  また、スリットから噴射する空気Ｎは、手の表面に付着した水滴は効率よく噴き飛ばすが、指先、指間、皮膚の凸凹等に付着した水滴の除去には時間が掛り、効率が悪く速乾性に劣っていた。また、空気Ｎは、湿気を含んでいるので爽快感がなく、使用者は、手洗い後、濡れた手を洗面台からユニット１０ｈまで移動して乾燥しているので衣服や床面等を雫で濡らし滑って転倒する危険があった。また、ドレンタンク１０ｇに溜まったドレンの排水メンテナンスを必要とし、使用時は、常時、ターボファン１０ｄを可動させて空気Ｎを噴射しているので騒音が煩い等の問題があった。【０００５】  そこで、この発明は、ハンドドライヤーの空気清浄手段、空気圧縮手段、噴射手段を着脱可能に独立して設け、設置性、移動性、操作性、メンテナンス性を向上し、空気中の湿気、粗ゴミ、塵、埃、臭気、細菌及びウィルス等の微生物を除去、殺菌して清浄し、清潔な空気を圧縮乾燥し、竜巻状に回転させて指先、指間、皮膚の凸凹等にあらゆる角度から隈なく噴き付けて付着した水滴を効率よく噴き飛ばし、乾燥時間を短縮して速乾性、爽快性を向上し、手洗いから乾燥までの処理を一貫して行い、雫で衣服や床面等を濡らすことを確実に防止し、滑って転倒する危険を防止し、安全、清潔、爽快、静粛なハンドドライヤーの提供を課題とする。
【課題を解決するための手段】
【０００６】  以上の課題を解決するために、第一発明は、人の手を乾燥するのに、空気中の粗ゴミ、塵、埃、細菌及びウィルス等の微生物を除去、殺菌し、消臭する空気清浄手段と、
上記清浄空気を圧縮乾燥、温度調節、消臭し、連続して供給する空気圧縮手段と、
上記圧縮空気を竜巻状にして噴き付ける噴射手段とを着脱可能に独立して設けていることを特徴とするハンドドライヤー。【０００７】  また、第二発明は、中空筒状容器の両端に保護蓋と粗ゴミ除去フィルターを備えた吸込口、中央に殺菌管と噴出口を設け、防塵フィルター、防埃フィルター、除菌フィルター、消臭フィルターを一体に積層して殺菌管の両端から挟込んで設けたことを特徴とするハンドドライヤー。【０００８】  また、第三発明は、清浄空気を圧縮乾燥し、噴射手段に連続供給するために複数の空気ダメを空気圧縮機の噴出側に直列して連結し、調圧器で空気ダメの減圧を検知して自動加圧する機能を備えたことを特徴とするハンドドライヤー。【０００９】  また、第四発明は、逆さ中空三角錐の先端を一部切除した漏斗状の容器に圧縮空気を均一に拡散する突起と、圧縮空気を噴射して回転させる複数の噴射孔を設けた回転空気噴射基板と、回転した圧縮空気を竜巻状にして大気中に噴射する竜巻渦流発生筒を備えたことを特徴とするハンドドライヤー。
【発明の効果】
【００１０】  第一発明によれば、空気清浄手段、空気圧縮手段、噴射手段が着脱可能に独立しているので持運びが容易で移動性に優れ、空気路（管又はホース）の長さを調節するだけで各手段を離して自在に設置できるので設置性、静粛性に優れ、噴射手段はコンパクトでスタンドホルダーを介して着脱可能に取付けるので据え置いたままでも、手に持っても使用でき、使い易く操作性に優れ便利である。【００１１】  第二発明によれば、空気中の粗ゴミ、塵、埃、臭気、細菌及びウィルス等の微生物を除去、殺菌し、清浄した空気をリアルタイムに供給できるので環境衛生に厳しい業種で効率の良い作業が可能となる。【００１２】  第三発明によれば、清浄空気を圧縮乾燥し、噴射手段に連続して供給するための空気圧縮機と調圧機と複数の空気ダメを設け、調圧機の働きで空気ダメの減圧を検知して空気圧縮機を自動可動させるので静粛性が一層向上し、空気の噴射圧力及び噴射量がコントロールできるので環境衛生に厳しい業種等で効率の良い作業が可能となる。【００１３】  第四発明によれば、竜巻状に回転させた圧縮乾燥空気を人の手の指先、指間、皮膚の凸凹等にあらゆる角度から隈なく噴き付け、付着した水滴を効率よく短時間に乾燥し、速乾性、爽快性に優れているのでデリケートで速乾性を優先する分野での乾燥手段として有効であり、この竜巻状に回転させた圧縮乾燥空気は、皮膚を回転方向に適度に指圧し、揉む刺激があり素肌のケアー等にも効果がある。
【発明を実施するための最良の形態】
【００１４】  この発明の一実施形態を、図１、図２、図３、図４に示す。
このハンドドライヤーは、図１に示すように、空気清浄部７、空気圧縮部８、噴射部９が着脱可能に独立して設け、空気清浄部７は、図１、図２に示すように、空気Ａを中空筒状容器７ａの両端に着脱可能に設けた保護蓋７ｂの吸気孔７ｃからティシュペーパーやビニールゴミを取除き、吸込口７ｄに着脱可能に設けた網目フィルター７ｅで綿ゴミ等を取除き、筒中央部で通気蓋７ｌに取付けた電極フォルダー７ｍに固定した殺菌管７ｊを、防塵フィルター７ｆ、防挨フィルター７ｇ、除菌フィルター７ｈ、消臭フィルター７ｉを一体に積層して両端から相対に挟込み、塵、埃、細菌及びウィルス等の微生物を除去、消臭して残留微生物を殺菌室７ｋで殺菌し、空気Ｂを筒の中央に設けた噴出口７ｎから空気路７ｏ、着脱装置７ｐを介して空気圧縮部８に圧送する。【００１５】  また、空気圧縮部８は、図１に示すように空気圧縮手段を機枠８ｊにユニットし、空気Ｂを空気路８ａから空気圧縮機８ｂに圧送して圧縮乾燥し、空気Ｃを一次空気ダメ８ｃに一時的に蓄え、二次空気ダメ８ｅに圧送して空気Ｄとして噴射まで蓄えられる。このとき発生するドレンＫは、ドレンコック８ｈから蒸発皿８ｉに排出して蒸発させメンテナンスフリーとしている。
また、調圧機８ｄは、噴射による二次空気ダメ８ｅの減圧を検知し、空気Ｃを二次空気ダメ８ｅに自動供給して空気Ｄの圧力を回復させ噴射に備え、一次空気ダメ８ｃの減圧は、空気圧縮機の調圧機で検知し、空気Ｃの圧力を自動回復することで空気Ｄの連続供給を可能としている。噴射時、空気Ｄを温度調節器８ｆで空気Ｅに温度調節し、脱臭フィルター８ｇで装置内臭気を消臭して空気路９ｏから空気Ｆを着脱装置８ｋを介して噴射装置９に圧送する。【００１６】  また、噴射部９は、図３、図４に示すように、空気Ｆを機密蓋９ｐと回転空気噴射基板９ｃとでＯリング９ｑを鋏込み密閉した拡散室９ｂに圧送して先端が半球形をした突起９ｄで均一に拡散し、拡散空気を効率良く噴射し回転させる一次噴射孔９ｇと二次噴射孔９ｈに噴射角度∠Ｄと空気を効率よく噴射孔に導く一次ホール９ｅと二次ホール９ｆを２つの異なる同心円上に位相を持たせて設け、回転空気噴射基板９ｃと竜巻渦流発生筒９ｊを密着してできた一次竜巻発生渦流発生室９ｋと二次竜巻渦流発生室９ｌに一次噴射空気Ｇと二次噴射空Ｈを噴射する。【００１７】  また、一次噴射空気Ｇと二次噴射空気Ｈを一次竜巻流発生室９ｊと二次竜巻渦流発生室９ｌで回転させ一次竜巻渦流Ｉと二次竜巻渦流Ｊを発生させ一次竜巻渦流噴射口９ｍと二次竜巻渦流噴射口９ｎから噴射する。このとき、竜巻渦流発生筒９ｊの先端を漏斗状の機枠９ａの先端より若干短く設けることで一次竜巻渦流Ｉの噴射力が二次竜巻流発生室９ｌの圧力を低下させ二次竜巻渦流Ｊの噴射に相乗効果として効率よく作用し、この発明の目的を達成している。以上、実施例にしたがって本発明を説明したが、本発明はこのような実施例に限定されるものではなく、本発明の要旨を逸脱しない範囲でさまざまに実施できる。
「実施形態の効果」【００１８】  この実施形態によれば、このハンドドライヤーはコンパクトで、空気清浄部、空気圧縮部、噴射部が着脱可能に独立して持運びが容易で移動性に優れているので携帯して被災地等での救援活動、訪問介護における乾燥手段として衛生環境確保に有効であり、空気ホースの長さを調節するだけで空気清浄部、空気圧縮部、噴射部を自在に離して設置できるので設置性、静粛性に優れ、一般家庭、病院、ホテル、学校、駅等の公共施設及び船舶、飛行機、電車等の空気管に噴射部を直接取り付け、公共輸送機関に搭載して紙タオルやトイレットペーパー等の資源の節約やゴミの減容による自然環境の保護、生活環境の改善及び計り知れない経済効果が期待できる。【００１９】  また、噴射手段は、洗面やトイレに直接または、ホルダースタンドを介して取り付けているので据え置いても、手に持っても使用できるので使いやすく操作性に優れ、手洗いから乾燥までの一連の動作が一貫して行えるので使用者は、手洗い後、濡れた手を移動して乾燥する必要がなくなったので床面を雫で濡らし滑って転倒する危険もなくなり安全であり、水滴は洗面ボール内で直接処理できるのでドレンタンクの必要がなくメンテナンス性に優れている。【００２０】  また、空気清浄部７と空気圧縮部８は、無菌乾燥空気をリアルタイムに供給できるので医療、介護、食品、調理関係等の衛生環境に厳しい業種、船舶、飛行機、電車等の公共輸送機関の閉鎖空間及び携帯して被災地での救援活動、訪問介護等における乾燥手段として衛生環境の確保に有効である。【００２１】  また、噴射部９は、圧縮乾燥空気を竜巻状に回転させて人の手に付着した水滴をあらゆる角度から隈なく効率よく吹き飛ばして乾燥時間を短縮するので速乾性、爽快性に優れ、女性の朝の洗髪、赤ちゃんのお尻、被介護者等の入浴後の清潔乾燥に有効で、竜巻状に回転した圧縮空気の噴き付けは皮膚を適度に押えたり、揉む刺激があり、指圧及びマッサージ効果による素肌のケアーに有効である。
「他の実施形態」【００２２】  図１の実施形態では、空気清浄部７にフィルター７ｅ、７ｆ、７ｇ、７ｈ、７ｉと殺菌管７ｊを使用しているが、他の実施形態では、空気を清浄できる手段にフィルター方式以外の方法を使用したものでも良い。【００２３】  図１の実施形態では、空気清浄部７を空気圧縮部８の機枠８ｊの外に取り付けて使用しているが、他の実施形態では、空気清浄部７を空気圧縮部８の機枠８ｊの内に組込んで使用したものでも良い。【００２４】  図１の実施形態では、殺菌室７ｋに殺菌管７ｊを一本使用しているが、他の実施形態では複数本使用したものでも良い。【００２５】  図１の実施形態では、殺菌室７ｋの蓋に網目蓋７ｅを使用しているが、他の実施形態では吸い込んだ空気が通過できれば材質、形状等に何を使用したものでも良い。【００２６】  図１の実施形態では、空気圧縮部８に空気圧縮機８ｂを使用しているが、他の実施形態では、圧縮ボンベを噴射部９に直接接続して使用したものでも良い。【００２７】  図１の実施形態では、空気圧縮部８を使用しているが、他の実施形態では、既存の空気配管に噴射部９を直接接続して使用したものでも良い。このとき、空気清浄部７を噴射部９の前段に使用したものでも良い。【００２８】  図１の実施形態では、消臭フィルター８ｇをユニットに組込んで使用しているが、他の実施形態では、噴射機枠９のグリップ内部に組込んで使用したものでも良い。【００２９】  図１の実施形態では、噴射機枠９を使用しているが、他の実施形態では、エアーブラシを単数或いは複数束ねて噴射角度を調整して使用したものでも良い。【００３０】  図１の実施形態では、噴射部９を１つ使用しているが、他の実施形態では、噴射部９の複数個を一体化して使用したものでも良い。【００３１】  図１の実施形態では、竜巻渦流噴射口９ｍ及び９ｎの大きさを固定して使用しているが、他の実施形態では、竜巻渦流噴射口９ｍ及び９ｎの大きさを自由に調整し噴射圧力、噴射量等を乾燥目的に合わせ調節して使用したものでも良い。
【図面の簡単な説明】
【００３２】
【図１】実施例のハンドドライヤー機能の配置説明図である。
【図２】実施例の空気清浄機能の構造説明図である。
【図３】実施例の噴射部正面側の断面図である。
【図４】実施例の噴射部平面側の断面図である。
【図５】従来のハンドドライヤーの機能説明図である。
【符号の説明】
【００３３】６・・・ハンドドライヤー、７・・・空気清浄部（空気清浄手段）、８・・・空気圧縮部（空気圧縮手段）、９・・・噴射部（噴射手段）、１０・・・従来ハンドドライヤー
７ａ・・・中空筒状容器、７ｂ・・・保護蓋、７ｃ・・・吸気孔、７ｄ・・・吸込口、７ｅ網目フィルター、７ｆ・・・防塵フィルター、７ｇ・・・防挨フィルター、７ｈ・・・除菌フィルター、７ｉ・・・消臭フィルター、７ｊ・・・殺菌管、７ｋ・・・殺菌室、７ｌ・・・通気蓋、７ｍ・・・電極フォルダー、７ｎ・・・噴出口、７ｏ・・・空気路（管又はホース）、７ｐ・・・着脱装置、８ａ・・・空気路（管又はホース）、８ｂ・・・空気圧縮機、８ｃ・・・第一空気ダメ、８ｄ・・・調圧器、８ｅ・・・第二空気ダメ、８ｆ・・・温度調節器、８ｇ・・・消臭フィルター、８ｈ・・・ドレンコック、８ｉ・・・蒸発皿、８ｊ・・・機枠（ユニット）、８ｋ・・・着脱装置、９ａ・・・噴射機枠、９ｂ・・・拡散室、９ｃ・・回転空気発生基板、９ｄ・・・突起、９ｅ・・・一次ホール、９ｆ・・・二次ホール、９ｇ・・・一次噴射孔、９ｈ・・・２次噴射孔、９ｉ・・・噴射角度（∠Ｄ）、９ｊ・・・竜巻渦流発生筒、９ｋ・・・一次竜巻渦流発生室、９ｌ・・・二次竜巻渦流発生室、９ｍ・・・一次竜巻渦流噴射口、９ｎ・・・二次竜巻渦流噴射口、９ｏ・・・空気路（管又はホース）、９ｐ・・・気密蓋、９ｑ・・・Ｏリング、１０ａ・・・吸込口、１０ｂ・・・粗ゴミ・塵フィルター、１０ｃ・・・吸込ダクト、１０ｄ・・・ターボファン、１０ｅ・・・噴射ダクト、１０ｆ・・・噴射口（スリット）、１０ｇ・・・ドレンタンク、１０ｈ・・・機枠（ユニット）、１０ｉ・・・壁面、Ａ・・・大気中の空気、Ｂ・・・清浄済空気、Ｃ・・・圧縮乾燥済空気、Ｄ・・・連続噴射空気、Ｅ・・・温度調節済空気、Ｆ・・・脱臭済空気、Ｇ・・・一次空噴射気、Ｈ・・・二次噴射空気、Ｉ・・・一次竜巻渦流、Ｊ・・・二次竜巻渦流、Ｋ・・・ドレン、Ｌ・・・粗ゴミ・塵除去空気、Ｍ・・・超高速空気、Ｎ・・・噴射空気
【図１】
2005177409.tif 000003
【図２】
2005177409.tif 000004
【図３】
2005177409.tif 000005
【図４】
2005177409.tif 000006
【図５】
2005177409.tif 000007